(57)【要約】【課題】かつら及び増毛具において、外観を自然にする。【解決手段】かつら１は、複数の毛髪１１と、これらの複数の毛髪１１の一端に位置するベース部１２と、を備え、複数の毛髪１１とベース部１２とは、互いに同一の糸状部材により形成されている。例えば、複数の毛髪１１とベース部１２とは、上記糸状部材により一体に編まれて形成されている。【選択図】図３
2018162534.tif 000002
【特許請求の範囲】
【請求項１】
複数の毛髪と、
前記複数の毛髪の一端に位置するベース部と、
を備え、
前記複数の毛髪と前記ベース部とは、互いに同一の糸状部材により形成されている、
ことを特徴とするかつら。
【請求項２】
前記複数の毛髪と前記ベース部とは、前記糸状部材により一体に編まれて形成されていることを特徴とする請求項１記載のかつら。
【請求項３】
前記かつらの装着者の頭部に載置されるかつらベースを更に備え、
前記ベース部及び前記複数の毛髪のうち少なくとも一方は、前記かつらベースに直接的に又は間接的に固定される、
ことを特徴とする請求項１又は２記載のかつら。
【請求項４】
前記ベース部は、前記かつらの装着者の頭部に載置されるかつらベースであることを特徴とする請求項１又は２記載のかつら。
【請求項５】
複数の毛髪と、
前記複数の毛髪の一端に位置するベース部と、
を備え、
前記複数の毛髪と前記ベース部とは、互いに同一の糸状部材により形成されている、
ことを特徴とする増毛具。
【発明の詳細な説明】
【技術分野】
【０００１】
本発明は、人の頭部に装着されるかつら、及び、かつらや人の頭部に装着される増毛具に関する。
【背景技術】
【０００２】
従来、かつらや人の頭部に装着される増毛具として、テグス等の線状部材と、この線状部材に植毛された複数の毛髪と、を備えるすだれ状のみの毛が知られている（例えば、特許文献１参照）。
【０００３】
また、かつらは、かつら装着者の頭部に載置されるかつらベースと、このかつらベースに植毛された複数の毛髪と、を備える。かつらベースは、例えば、ネット部材であるか、或いは、合成樹脂により形成される人工皮膚である。
【０００４】
上述の増毛具やかつらにおいては、増毛具の線状部材やかつらのかつらベースが外部に露出すると、増毛具やかつらを装着していることが他者に知られることになる。そのため、例えば、増毛具であれば、みの毛の線状部材を毛髪と同じ色に形成することが行われ、かつらベースであれば、ネット部材又は人工皮膚を毛髪又は皮膚の色と同じ色に形成することが行われている。
【先行技術文献】
【特許文献】
【０００５】
【特許文献１】特開２００１−８１６１９号公報
【発明の概要】
【発明が解決しようとする課題】
【０００６】
しかしながら、上述のように、増毛具の線状部材やかつらのかつらベースを毛髪又は皮膚と同じ色に形成しても、線状部材やかつらベースは、毛髪とは異なる部材であることから、外部に露出することで毛髪とは異なるものであることが視認され得る。そのため、増毛具やかつらを装着していることが他者に知られるおそれがある。
【０００７】
本発明の目的は、外観を自然にすることができるかつら及び増毛具を提供することである。
【課題を解決するための手段】
【０００８】
１つの観点では、かつらは、複数の毛髪と、前記複数の毛髪の一端に位置するベース部と、を備え、前記複数の毛髪と前記ベース部とは、互いに同一の糸状部材により形成されている。
【０００９】
また、前記かつらにおいて、前記複数の毛髪と前記ベース部とは、前記糸状部材により一体に編まれて形成されているとよい。
また、前記かつらにおいて、前記かつらの装着者の頭部に載置されるかつらベースを更に備え、前記ベース部及び前記複数の毛髪のうち少なくとも一方は、前記かつらベースに直接的に又は間接的に固定されるとよい。
【００１０】
また、前記かつらにおいて、前記ベース部は、前記かつらの装着者の頭部に載置されるかつらベースであるとよい。
別の１つの観点では、増毛具は、複数の毛髪と、前記複数の毛髪の一端に位置するベース部と、を備え、前記複数の毛髪と前記ベース部とは、互いに同一の糸状部材により形成されている。
【発明の効果】
【００１１】
本発明によれば、かつら及び増毛具の外観を自然にすることができる。
【図面の簡単な説明】
【００１２】
【図１】本発明の一実施の形態に係る増毛具を示す正面図である。
【図２】本発明の一実施の形態に係る増毛具の製造方法を説明するための説明図である。
【図３】本発明の一実施の形態に係るかつらを示す平面図である。
【図４】本発明の一実施の形態に係るかつらの一部を示す斜視図である。
【図５】本発明の他の実施の形態に係るかつらの一部を示す斜視図である。
【発明を実施するための形態】
【００１３】
以下、本発明の実施の形態に係るかつら及び増毛具について、図面を参照しながら説明する。
図１は、一実施の形態に係る増毛具１０を示す正面図である。
【００１４】
図２は、増毛具１０の製造方法を説明するための説明図である。
図１に示す増毛具１０は、複数の毛髪１１と、これらの複数の毛髪１１の一端に位置する例えば線状のベース部１２と、を備え、後述するかつらや人の頭部に固定される。なお、増毛具としては、線状部材（例えばベース部１２）と、この線状部材に植毛された複数の毛髪（例えば毛髪１１）と、を備えるすだれ状のみの毛が一例として挙げられるが、線状部材（ベース部１２）に代えて、面状（例えば帯状）の部材が用いられてもよい。
【００１５】
複数の毛髪１１とベース部１２とは、糸状部材により一体に編まれて形成されている。一例ではあるが、毛髪１１及びベース部１２を一体に編むためには、公知の立毛製品（例えば、特開２０１３−２５５６６０号公報、特開２００１−１７３０３号公報、特開２００２−２１２８６４号公報参照）のように、ダブルラッセル機などを用いて立体編地を形成するとよい。例えば、互いに対向する２本の線状のベース地に対して、複数の毛髪１１及びベース部１２となる線状部材を編み込み、図２に示すように、２つのベース部１２と、これらの間に位置する輪（パイル）Ｐを形成する。そして、２つのベース部１２の間の中央で輪Ｐを切断することにより１つの輪Ｐから２本ずつ計４本の毛髪１１を形成する。これにより、毛髪１１と線状のベース部１２とが一体に編まれた増毛具１０を２つ製造することができる。なお、線状のベース地は、目立たないものであれば残してもよいが、例えば、ベース部１２内から引き抜くことで或いは溶剤で溶かすことで、増毛具１０から除去するとよい。
【００１６】
また、２本ではなく１本のベース地に対して、線状部材（複数の毛髪１１及びベース部１２）を編み込む場合には、ベース部１２から突出するように複数の輪を形成し、この輪の先端を切断することで１つの輪から２本の毛髪１１を形成すればよい。
【００１７】
ここでは、毛髪１１及びベース部１２が一体に編まれて形成されている例について説明したが、ベース部１２に、このベース部１２と同一の糸状部材からなる複数の毛髪１１の各々を植毛してもよい。すなわち、ベース部１２とは別体の毛髪１１をベース部１２に植毛することで、毛髪１１をベース部１２に固定してもよい。なお、ここでいう同一の糸状部材は、例えば、組成（糸状部材を構成する複数成分の成分比を含む。）が同一の糸状部材であり、毛髪１１及びベース部１２は、この同一の糸状部材からなる。また、同一の糸状部材は、同一色、同一太さであることが望ましくはあるが、例えば、１本の毛髪１１が根元側と先端側とで異なる色に染色されることや、色が連続的に変化するように染色されることもあることから、毛髪１１とベース部１２とが必ずしも同一色でなくともよい。また、毛髪１１とベース部１２とが別体である場合の同一の糸状部材は、例えばベース部１２の強度を高めるためにベース部１２の太さを太くするなど、毛髪１１とベース部１２とで太さが異なっていてもよい。
【００１８】
図３は、本実施の形態に係るかつら１を示す平面図である。
図４は、かつら１の一部を示す斜視図である。
図３に示すかつら１は、上述の増毛具１０と、かつらベース２０と、複数の毛髪３０と、を備える。
【００１９】
かつらベース２０は、かつら１の装着者の頭部に載置されるため、例えば曲面形状を呈する。一例ではあるが、かつらベース２０は、図３及び図４に示すように、中央部２１と、４本の帯状部２２と、周縁部２３と、前部ネット２４と、後部ネット２５と、を有する。なお、かつらベース２０の形状や構造は、一例に過ぎず、例えば、かつらベース２０の一部又は全体が合成樹脂からなる人工皮膚などの網目がないものであってもよい。
【００２０】
中央部２１は、かつらベース２０の左右方向の中央に配置されている。また、中央部２１は、密網ネット２１ａと、この密網ネット２１ａの左端及び右端の各々に沿って設けられた計２つの中央帯状部２１ｂと、を有する。
【００２１】
密網ネット２１ａは、前部ネット２４及び後部ネット２５よりも網目が細かいネットである。中央帯状部２１ｂは、帯状部２２よりも粗く編まれており、左右方向に凹凸形状に突出する。
【００２２】
中央部２１及び帯状部２２は、円形枠状の周縁部２３内において前後方向に架け渡されるように配置されている。周縁部２３は、かつらベース２０の周囲から凹凸形状に突出する網目を有する。
【００２３】
４本の帯状部２２は、中央部２１よりも左側に２本、右側に２本配置されている。帯状部２２は、例えば、網目を有するリボン部材（レース部材）である。なお、周縁部２３が枠状に形成されているため、帯状部２２の左右には隙間が生じ、この隙間からかつら１の装着者の頭髪が引き出される。
【００２４】
前部ネット２４は、かつらベース２０の前部に配置された半楕円形状のネットであり、後部ネット２５は、かつらベース２０の後部に配置された半楕円形状のネットである。なお、前部ネット２４は、半楕円形状の曲線部分が周縁部２３の前部に沿うように配置され、後部ネット２５は、半楕円形状の曲線部分が周縁部２３の後部に沿うように配置されている。
【００２５】
毛髪３０は、例えば人工毛髪であるが、加工人毛などの、人工毛髪以外の毛髪であってもよい。なお、図３において、毛髪３０は、中央部２１、帯状部２２、周縁部２３、前部ネット２４、及び後部ネット２５のそれぞれに植毛された２本ずつのみを図示するが、実際には、かつらベース２０の全体に亘って例えば密集するように植毛される。
【００２６】
上述の増毛具１０は、ベース部１２が周縁部２３の前部に沿って曲線状となるように、例えばベース部１２において縫い付けられることで周縁部２３（かつらベース２０）に固定されている。なお、増毛具１０は、毛髪１１を周縁部２３に結び付けることにより周縁部２３（かつらベース２０）に固定されていてもよいし、ベース部１２又は毛髪１１が、かつらベース２０に植毛された毛髪３０に固定されることで、間接的にかつらベース２０に固定されてもよい。
【００２７】
以上説明した一実施の形態では、かつら１及び増毛具１０は、複数の毛髪１１及びこれらの毛髪１１の一端に位置するベース部１２を備える。また、複数の毛髪１１とベース部１２とは、例えば、互いに同一の糸状部材により一体に編まれて形成されていることで、或いは、線状のベース部１２に、このベース部１２と同一の糸状部材からなる複数の毛髪１１の各々を植毛することで、互いに同一の糸状部材により形成されている。
【００２８】
このように、複数の毛髪１１とベース部１２とが互いに同一の糸状部材により形成されていることで、ベース部１２が外部から視認されるのを防ぐことができる。よって、本実施の形態によれば、かつら１及び増毛具１０の外観を自然にすることができる。
【００２９】
また、本実施の形態では、かつら１は、このかつら１の装着者の頭部に載置されるかつらベース２０を更に備え、ベース部１２及び複数の毛髪１１のうち少なくとも一方は、かつらベース２０に直接的に又は間接的に固定される。そのため、かつら１に増毛具１０を配置することでかつら１を容易に製造しても、増毛具１０のベース部１２が外部から視認されるのを防ぐことができる。
【００３０】
図５は、他の実施の形態に係るかつら１００の一部を示す斜視図である。
図５に示すように、かつら１００は、このかつら１００の装着者の頭部に載置されるかつらベース１０１と、このかつらベース１０１に植毛された複数の毛髪１０２と、を備える。
【００３１】
かつらベース１０１は、かつら１００の装着者の頭部に載置されるため、例えば曲面形状を呈する。かつらベース１０１と複数の毛髪１０２とは、上述の増毛具１０の毛髪１１及びベース部１２のように、互いに同一の糸状部材により形成されている。より好ましくは、かつらベース１０１及び毛髪１０２は、互いに同一の糸状部材により一体に編まれて形成されている。
【００３２】
なお、面状のかつらベース１０１を毛髪１０２とともに同一の糸状部材により一体に編むためには、増毛具１０と同様に、公知の立毛製品のようにダブルラッセル機などを用いて立体編地を形成するとよい。例えば、互いに対向する２つの面状のベース地に対して、かつらベース１０１及び複数の毛髪１０２となる線状部材を編み込み、２つのかつらベース１０１と、これらの間に位置する輪（パイル）を形成する。そして、２つのかつらベース１０１の間の中央で輪を切断することにより１つの輪から２本ずつ計４本の毛髪１０２を形成する。これにより、かつらベース１０１と複数の毛髪１０２とが一体に編まれたかつらベース１０１を２つ製造することができる。なお、面状のベース地は、目立たないものであれば残してもよいが、例えば溶剤で溶かすことで、かつら１００から除去するとよい。
【００３３】
また、２つではなく１つの面状のベース地に対して、線状部材（かつらベース１０１及び複数の毛髪１０２）を編み込む場合には、かつらベース１０１から突出するように複数の輪を形成し、この輪の先端を切断することで１つの輪から２本の毛髪１０２を形成すればよい。
【００３４】
以上のように、図５に示す他の実施の形態では、複数の毛髪１０２と互いに同一の糸状部材により形成されるのが、増毛具１０のベース部１２ではなく、かつらベース１０１である。そのため、かつらベース１０１と複数の毛髪１０２とが互いに同一の糸状部材により形成されていることで、かつらベース１０１が外部から視認されるのを防ぐことができる。よって、本実施の形態によっても、かつら１００の外観を自然にすることができる。
【符号の説明】
【００３５】
１      かつら
１０      増毛具
１１      毛髪
１２      ベース部
２０      かつらベース
２１      中央部
２１ａ      密網ネット
２１ｂ      中央帯状部
２２      帯状部
２３      周縁部
２４      前部ネット
２５      後部ネット
３０      毛髪
１００      かつら
１０１      かつらベース
１０２      毛髪
Ｐ      輪
【図１】
2018162534.tif 000003
【図２】
2018162534.tif 000004
【図３】
2018162534.tif 000005
【図４】
2018162534.tif 000006
【図５】
2018162534.tif 000007